(57)【要約】      （修正有）【課題】異なるプロトコルのネットワーク間で、ドメインを同一とした際、二重アドレスを防ぐことを可能とするネットワーク中継装置を提供する。【解決手段】第１プロトコルで複数の通信局が通信する第１ネットワークと、第２プロトコルで複数の通信局が通信する第２ネットワークとの間に接続され、第２ネットワークに属する通信局をこの通信局が送信する識別信号により認識する第１通信局認識手段と、第１ネットワークに属する通信局をこの通信局が送信する識別信号により認識する第２通信局認識手段と、第１通信局認識手段で識別された通信局の識別信号を、第１プロトコルにより第１仮想識別信号に変換して第１ネットワークに送信する第１仮想識別信号送信手段と、第２通信局認識手段で識別された通信局の識別信号を、第２プロトコルにより第２仮想識別信号に変換して第２ネットワークに送信する第２仮想識別信号送信手段と、を備える。【選択図】図１
2012134805.tif 000002
【特許請求の範囲】
【請求項１】
第１プロトコルで複数の通信局が同一ドメイン内で通信する第１ネットワークと、第２プロトコルで複数の通信局が同一ドメイン内で通信する第２ネットワークとの間に接続され、前記第１ネットワークに属する前記ドメイン内の通信局と、前記第２ネットワークに属する前記ドメイン内の通信局間の通信を中継するネットワーク中継装置において、
前記第２ネットワークに属する前記ドメイン内の通信局をこの通信局が送信する識別信号により認識する第１通信局認識手段と、
前記第１ネットワークに属する前記ドメイン内の通信局をこの通信局が送信する識別信号により認識する第２通信局認識手段と、
前記第１通信局認識手段で識別された通信局の識別信号を、前記第１プロトコルにより第１仮想識別信号に変換して前記第１ネットワークに属する前記ドメインに送信する第１仮想識別信号送信手段と、
前記第２通信局認識手段で識別された通信局の識別信号を、前記第２プロトコルにより第２仮想識別信号に変換して前記第２ネットワークに属する前記ドメインに送信する第２仮想識別信号送信手段と、
を備えることを特徴とするネットワーク中継装置。
【請求項２】
前記第１ネットワークで通信する通信局の前記第１プロトコルはトークンバスであり、前記第２ネットワークで通信する通信局の前記第２プロトコルはＣＳＭＡ／ＣＤであることを特徴とする請求項１に記載のネットワーク中継装置。
【請求項３】
前記第１プロトコルによる通信局の識別信号は、通信局がネットワークに送信するトークンであり、前記第２プロトコルによる通信局の識別信号は、通信局がネットワークに送信する診断パケットであることを特徴とする請求項２に記載のネットワーク中継装置。
【請求項４】
前記第１仮想識別信号送信手段より送信された仮想識別信号と同一アドレスを有する通信局は、前記第１ネットワークに属する前記ドメイン内への接続が排除されると共に、前記第２仮想識別信号送信手段より送信された仮想識別信号と同一アドレスを有する通信局は、前記第２ネットワークに属する前記ドメイン内への接続が排除されることを特徴とする請求項１乃至３のいずれかに記載のネットワーク中継装置。
【請求項５】
前記第１ネットワークに属する前記ドメインと前記第２ネットワークに属する前記ドメインは、共通ドメインとして機能することを特徴とする請求項１乃至４のいずれかに記載のネットワーク中継装置。
【請求項６】
前記第１ネットワークと前記第２ネットワークは、分散形制御システムまたは安全制御システムの少なくともいずれかに実装されていることを特徴とする請求項１乃至５のいずれかに記載のネットワーク中継装置。
【発明の詳細な説明】
【技術分野】
【０００１】
本発明は、第１プロトコルで複数の通信局が同一ドメイン内で通信する第１ネットワークと、第２プロトコルで複数の通信局が同一ドメイン内で通信する第２ネットワークとの間に接続され、前記第１ネットワークに属する前記ドメイン内の通信局と、前記第２ネットワークに属する前記ドメイン内の通信局間の通信を中継するネットワーク中継装置に関するものである。
【背景技術】
【０００２】
プロセスを制御する分散形制御システムまたは異常時にプロセスを安全側に操作する安全制御システムでは、互いにプロトコルの異なる複数のネットワークが実装されており、これらネットワークに属する通信局間で通信を必要とする場合には、ネットワーク中継装置を介在させている。
【０００３】
図２は、従来のネットワーク中継装置の構成例を示す機能ブロック図である。第１ネットワーク１０（Ｎ１）は、独自のプロトコルを使用したネットワーク、例えば、トークンを渡された通信局のみがデータを送信できるトークンバス型である。
【０００４】
トークンバス型では、トークンの宛先から何らかの応答があった場合は、全通信局が自身の管理する存在通信局情報に当該宛先アドレスを格納し、応答がなかった場合は、前記情報から当該宛先アドレスを削除することでネットワークに存在する通信局を認識する。
【０００５】
第２ネットワーク２０（Ｎ２）は、オープン化を実現したネットワーク、例えば、イーサネット（登録商標）を使用していて、ＣＳＭＡ／ＣＤ（Carrier Sense Multiple Access/Collision Detect）方式で各々の通信局が他の通信局に自身の存在を認識させるために能動的かつ定期的に診断バケットを同報通知している。
【０００６】
診断バケットを受信した通信局が、自身の管理する存在通信局情報に当該送信元アドレスを格納し、前記情報を定期的に確認していて、一定時間前記診断パケットを受信していない通信局のアドレスを前記情報から削除することでネットワークに存在する通信局を認識する。
【０００７】
これらのネットワークにおいて、通信局は、一つ以上の通信局からなるイーサネットのサブネットに相当するドメイン単位で構成され、ドメイン内で同一アドレスの通信局の接続は排除される。
【０００８】
第１ネットワーク１０（Ｎ１）には、ドメイン１１及びドメイン１２があり、これらドメインは中継装置１３を介して通信できる。ドメイン１１には、通信局１，通信局３，通信局５が存在している。
【０００９】
同様に、第２ネットワーク２０（Ｎ２）には、ドメイン２１及びドメイン２２があり、これらドメインは中継装置２３を介して通信できる。ドメイン２１には、通信局１，通信局３，通信局５が存在している。異なるドメイン間では、同一アドレスの通信局が存在していてもかまわない。
【００１０】
中継装置３０は、互いに異なるプロトコルで通信する第１ネットワーク１０（Ｎ１）と第２ネットワーク２０（Ｎ２）の通信局間の中継を行ない、ネットワークＮ１インターフェース３１、ネットワークＮ２インターフェース３２、中継インターフェース３３を備えている。
【００１１】
図示の状態では、ネットワークＮ１インターフェース３１にはドメイン１１の通信局２がマウントされ、ネットワークＮ２インターフェース３２にはドメイン２１の通信局２がマウントされている。中継インターフェース３３はプロトコル変換を行い、ドメイン１１の通信局２とドメイン２１の通信局２間の通信を中継している。
【先行技術文献】
【特許文献】
【００１２】
【特許文献１】特開平１０−２３０５７号公報
【特許文献２】特開平１０−１７３６９５号公報
【発明の概要】
【発明が解決しようとする課題】
【００１３】
異なるプロトコルのネットワーク１０，２０間で、第１ネットワーク１０のドメイン１１と第２ネットワーク２０のドメイン２１を同一ドメインとして運用したい場合に、プロトコルが異なることにより、同一アドレスの通信局を検出する方法も夫々のプロトコルで異なる。
【００１４】
従って、既に存在する通信局と同じアドレスの通信局がネットワークに接続されても、自局と同じアドレスの通信局が既に存在する二重アドレスを検出することができないので、同一ドメインとして運用することができない。
【００１５】
本発明の目的は、異なるプロトコルのネットワーク間で、ドメインを同一とした際、既に存在する通信局と同じアドレスの通信局がネットワークに接続される二重アドレスを防ぐことを可能とするネットワーク中継装置を実現することにある。
【課題を解決するための手段】
【００１６】
このような課題を達成するために、本発明は次の通りの構成になっている。
（１）第１プロトコルで複数の通信局が同一ドメイン内で通信する第１ネットワークと、第２プロトコルで複数の通信局が同一ドメイン内で通信する第２ネットワークとの間に接続され、前記第１ネットワークに属する前記ドメイン内の通信局と、前記第２ネットワークに属する前記ドメイン内の通信局間の通信を中継するネットワーク中継装置において、
前記第２ネットワークに属する前記ドメイン内の通信局をこの通信局が送信する識別信号により認識する第１通信局認識手段と、
前記第１に属する前記ドメイン内の通信局をこの通信局が送信する識別信号により認識する第２通信局認識手段と、
前記第１通信局認識手段で識別された通信局の識別信号を、前記第１プロトコルにより第１仮想識別信号に変換して前記第１ネットワークに属する前記ドメインに送信する第１仮想識別信号送信手段と、
前記第２通信局認識手段で識別された通信局の識別信号を、前記第２プロトコルにより第２仮想識別信号に変換して前記第２ネットワークに属する前記ドメインに送信する第２仮想識別信号送信手段と、
を備えることを特徴とするネットワーク中継装置。
【００１７】
（２）前記第１ネットワークで通信する通信局の前記第１プロトコルはトークンバスであり、前記第２ネットワークで通信する通信局の前記第２プロトコルはＣＳＭＡ／ＣＤであることを特徴とする（１）に記載のネットワーク中継装置。
【００１８】
（３）前記第１プロトコルによる通信局の識別信号は、通信局がネットワークに送信するトークンであり、前記第２プロトコルによる通信局の識別信号は、通信局がネットワークに送信する診断パケットであることを特徴とする（２）に記載のネットワーク中継装置。
【００１９】
（４）前記第１仮想識別信号送信手段より送信された仮想識別信号と同一アドレスを有する通信局は、前記第１ネットワークに属する前記ドメイン内への接続が排除されると共に、前記第２仮想識別信号送信手段より送信された仮想識別信号と同一アドレスを有する通信局は、前記第２ネットワークに属する前記ドメイン内への接続が排除されることを特徴とする（１）乃至（３）のいずれかに記載のネットワーク中継装置。
【００２０】
（５）前記第１ネットワークに属する前記ドメインと前記第２ネットワークに属する前記ドメインは、共通ドメインとして機能することを特徴とする（１）乃至（４）のいずれかに記載のネットワーク中継装置。
【００２１】
（６）前記第１ネットワークと前記第２ネットワークは、分散形制御システムまたは安全制御システムの少なくともいずれかに実装されていることを特徴とする（１）乃至（５）のいずれかに記載のネットワーク中継装置。
【発明の効果】
【００２２】
本発明によれば、２つの異なるプロトコルのネットワークを同一ドメインとする際、設定ミスなどにより、既に存在する通信局と同じアドレスの通信局がネットワークに接続される二重アドレスを検出し、接続を排除することができる。
【図面の簡単な説明】
【００２３】
【図１】本発明を適用したネットワーク中継装置の一実施例を示す機能ブロック図である。
【図２】従来のネットワーク中継装置の構成例を示す機能ブロック図である。
【発明を実施するための形態】
【００２４】
以下本発明を、図面を用いて詳細に説明する。図１は、本発明を適用したネットワーク中継装置の一実施例を示す機能ブロック図である。図２で説明した従来構成と同一要素には同一符号を付して説明を省略する。
【００２５】
図１において、本発明を適用したネットワーク中継装置１００は、ネットワークＮ１インターフェース１０１、ネットワークＮ２インターフェース１０２、中継インターフェース１０３を備える。これら要素は、図２で示したネットワーク中継装置３０のネットワークＮ１インターフェース３１、ネットワークＮ２インターフェース３２、中継インターフェース３３と同一機能である。
【００２６】
ネットワーク中継装置１００において従来構成に追加される要素は、第１通信局認識手段１０４及び第１仮想識別信号送信手段１０５、並びに、第２通信局認識手段１０６及び第２仮想識別信号送信手段１０７である。
【００２７】
第１通信局認識手段１０４は、第２ネットワーク２０に属するドメイン２１内の通信局をこの通信局が送信する識別信号により認識する。第１仮想識別信号送信手段１０５は、第１通信局認識手段１０４で識別された第２ネットワーク２０に属するドメイン２１内の通信局の識別信号を、第１プロトコルにより第１仮想識別信号に変換して第１ネットワーク１０に属するドメイン１１に送信する。
【００２８】
第２通信局認識手段１０６は、第１ネットワーク１０に属するドメイン１１内の通信局をこの通信局が送信する識別信号により認識する。第２仮想識別信号送信手段１０７は、第２通信局認識手段１０６で識別された第１ネットワーク１０に属するドメイン１１内の通信局の識別信号を、第２プロトコルにより第２仮想識別信号に変換して第２ネットワーク２０に属するドメイン２１に送信する。
【００２９】
このように構成することにより、他方のネットワークに存在する通信局と同一のアドレスを持つ通信局を自分のネットワーク上に仮想的に参加させることができる。即ち、他方のネットワークに存在する通信局が仮想的に自分のネットワークに存在することになり、この通信局と同じアドレスの通信局を新規に接続する際、この通信局はネットワークに参加できなくなる。
【００３０】
以下、具体的な動作例を説明する。まず、第１通信局認識手段１０４は、第２ネットワー２０のドメイン２１に存在する通信局４のアドレスを認識する。通信局４から同報通知される診断パケット４を検出することで、その通信局４を認識することができる。
【００３１】
次に、第１仮想識別信号送信手段１０５は、第１通信局認識手段１０４により認識した通信局４のアドレス宛に送信されるトークン４を受け取る。トークン４を受け取った後、第１のネットワーク１０のドメイン１１上に存在する自局より次に若いアドレスの通信局５へ仮想的なトークン５を送信する。
【００３２】
以上により、第１ネットワーク１０のドメイン１１上において、第２ネットワーク２０のドメイン２１上に存在する通信局４と同じアドレスを持つドメイン１１側の通信局４がネットワークに新規に接続される際に、その通信局４は既に巡回しているトークン５を観測し、そのトークン５の送信元アドレスが自局のアドレスと一致するため、第１ネットワーク１０のドメイン１１に参加することを取り止める。
【００３３】
同様に、第２通信局認識手段１０６は、第１ネットワー１０のドメイン１１に存在する通信局１、３、５のアドレスを認識する。これら通信局１、３、５から同報通知される識別信号を検出することで、その通信局１、２、３、５を認識することができる。
【００３４】
次に、第２仮想識別信号送信手段１０７は、第２通信局認識手段１０６により認識した通信局１、３、５のアドレスについて、第２のネットワーク２０のドメイン２１上に存在する通信局４に仮想的な診断パケット１、２、３、５を送信する。
【００３５】
以上により、第２ネットワーク２０のドメイン２１上において、第１ネットワーク１０のドメイン１１上に存在する通信局１、２、３、５と同じアドレスの通信局がドメイン２１側に新規に接続される際、その通信局は既にドメイン２１に仮想的に存在しているので、第２ネットワーク２０のドメイン２１に参加することを取り止める。
【符号の説明】
【００３６】
１０  第１ネットワーク（Ｎ１）
１１  ドメイン
２０  第２ネットワーク（Ｎ２）
２１  ドメイン
１００  中継装置
１０１  ネットワークＮ１インターフェース
１０２  ネットワークＮ２インターフェース
１０３  中継インターフェース
１０４  第１通信局認識手段
１０５  第１仮想識別信号送信手段
１０６  第２通信局認識手段
１０７  第２仮想識別信号送信手段
【図１】
2012134805.tif 000003
【図２】
2012134805.tif 000004